(57)【特許請求の範囲】
【請求項１】
放送情報のコードストリームを記憶する方法であって
基地局が、放送必要な構成情報を読み取り、構成情報におけるパラメータ情報を放送情報に対応する構造にパディングし、放送情報をエンコーディングしてコードストリームを生成し、前記コードストリームを記憶することを含み、ここで、
記憶するステップにおいて、基地局は放送情報における各システム情報（SI）をコードストリーム形式で記憶し、記憶されたSIはSIの長さ及びSIコードストリームという２つの部分を含む放送情報のコードストリームを記憶する方法。
【請求項２】
前記各システム情報（SI)をコードストリーム形式で記憶するステップにおいて、
前記SIコードストリームは、ヘッド及び当該SIにマッピングした各SIBのコードストリームを含み、
前記基地局は各SIを同一記憶領域に記憶し、記憶された各SIは順次に配列してSIコードストリーム構造を形成し、
記憶された前記SIコードストリームはSI総数を更に含む
請求項１に記載の方法。
【請求項３】
前記SI総数は1バイトを占め、
各前記SIの長さは２バイトを占め、
前記SIコードストリームの長さは当該SIヘッドの長さと当該SIにマッピングした全てのSIBコードストリームの長さとの和である
請求項２に記載の方法。
【請求項４】
前記記憶するステップにおいて、
前記放送情報におけるMIB及びSIB１をコーディングした後、コードストリーム形式で記憶し、
記憶されたMIBは、１バイトを占めるMIBの長さ及びMIBコードストリームを含み、
記憶されたSIB１は、１バイトを占めるSIB１の長さ及びSIB１コードストリームを含む
請求項１に記載の方法。
【請求項５】
前記方法は、
放送情報が更新した後、前記基地局が、更新後のSIを記憶した後、記憶された１番目のSIコードストリームから、更新後のSIコードストリームと更新前のSIコードストリームとが同じかどうかを比較することを開始し、同じ場合、次のSIコードストリームが同じかどうかを比較し続け、同じではない場合、SIB１におけるValue Tagを修正することを更に含む
請求項１に記載の方法。
【請求項６】
放送情報のコードストリームを記憶する基地局であって、
放送情報をエンコーディングし、且つエンコーディングした後のコードストリームをパディングモジュールに送信するためのコーディングモジュールと、
受信したコードストリームを記憶モジュールに記憶するためのパディングモジュールと、
各コードストリームを記憶するための記憶モジュールとを含み、
前記パディングモジュールは、放送情報における各SIをコードストリーム形式で記憶し、記憶したSIがSIの長さ及びSIコードストリームを含むことに更に設定される基地局。
【請求項７】
前記パディングモジュールは、
前記SIコードストリームがヘッド及び当該SIにマッピングした各SIBのコードストリームを含み、
各SIを記憶モジュールの同一記憶領域に記憶させ、記憶した各SIが順次に配列してSIコードストリーム構造を形成し、
記憶されたSIコードストリーム構造がSI総数を更に含むことに設定される
請求項６に記載の基地局。
【請求項８】
前記SI総数は１バイトを占め、
各SIの長さは２バイトを占め、
SIコードストリームの長さは当該SIヘッドの長さと当該SIにマッピングした全てのSIBコードストリームの長さとの和である
請求項７に記載の基地局。
【請求項９】
前記パディングモジュールは、
コードストリーム形式でMIBを記憶し、記憶されたMIBが、１バイトを占めるMIBの長さ及びMIBコードストリームを含み、及び
コードストリーム形式でSIB１を記憶し、記憶されたSIB１が、１バイトを占めるSIB１の長さ及びSIB１コードストリームを含むことに更に設定される
請求項６に記載の基地局。
【請求項１０】
前記パディングモジュールは、
放送情報が更新した後、更新後のSIを記憶した後、記憶された１番目のSIコードストリームから、更新後のSIコードストリームと更新前のSIコードストリームとが同じかどうかを比較することを開始し、同じ場合、次のSIコードストリームが同じかどうかを比較し続け、同じではない場合、SIB１におけるValue Tagを修正することに更に設定される
請求項６に記載の基地局。
【発明の詳細な説明】
【技術分野】
【０００１】
本発明は長期進化(Long Term Evolution：LTE)通信システム分野に関し、具体的に、放送情報のコードストリームを記憶する基地局及び方法に関する。
【背景技術】
【０００２】
放送情報は、主にアクセスネットワークシステムのセルパラメータ情報を提供し、放送の形式でユーザ装置(User Equipment：UE)に通知される。発展型ユニバーサル地上無線アクセスネットワーク（Evolved Universal Terrestrial Radio Access Network：E-UTRAN）の放送情報がセル中のUEに放送され、UEが放送情報を受信することで十分なアクセス情報を取得して、UEとE-UTRANとの無線接続が容易に確立される。図１に示すように、UEはE-UTRANによって送信された放送情報を取得する。
【０００３】
放送情報は、マスター情報ブロック（Master Information Block：MIB）と他の放送必要なシステム情報ブロック(System Information Block：SIB)に分けられる。表１に示すように、LTE放送情報には、異なる機能をそれぞれ持つSIB１、SIB２、 SIB３、SIB４、SIB５、SIB６、SIB７、SIB８、SIB９、SIB１０及びSIB１１という全部で11個のSIBがある。
【０００４】
【表１】
0005466762.tif 000002
【０００５】
MIB及びすべてのSIBは、送信される前に、必ずASN.1（Abstract Syntax Notation.1）エンコーディングする必要があり、エンコーディングされた後、対応するコードストリームに形成し、放送を介してこれらのコードストリーム情報を送信して、UEが受信された後、ASN.1デコーディングを行なって関連セルパラメータを取得する。
【０００６】
システム情報(System Information：SI)は複数のSIBによって構成されたパケットであり、SIB情報のスケジューリングはSIを単位として行なうものである。同じスケジューリング周期のSIBは１つのSIにマッピングされることができ、しかし、各SIBが一回しかマッピングされることができない。MIB及びSIB１の以外、他のSIBはSIにマッピングされないと、スケジューリングされて送信されない。
【０００７】
具体的に実行する時、以下の問題が存在する。
【０００８】
一、構成が実現される時、放送情報がバックグラウンド構成の修正に応じて変更する可能性があり、放送情報のコードストリームを再構成し且つ呼び出しメッセージを送信してUEに通知する必要があるため、次に放送情報を更新する時に判断しやすいために、放送セルパラメータを記憶する必要がある。大量の放送セルパラメータを記憶することはメモリを極めて大きく浪費してしまう。
【０００９】
二、SI情報が変化する場合、SIB１におけるValue Tagを修正する必要がある。放送情報が変わるが、放送情報を送信する時Value Tagが修正されない場合、UEはSI情報を受信することができない。放送情報が変わらないが、放送情報を送信する時Value Tagが修正された場合、UEが放送を受信し、これにより、UEの電力消費量がより大きいことを引き起こす。Value TagパラメータはSIが変化したかどうかのマークであり、しかし、放送情報がSIB構造で記憶された場合、SIが変化したかどうかを判断する時、処理が複雑で、効率が低い。
【００１０】
三、SIB構造において、ポインタセルに対する処理、特にポインタテーブルに対する処理は、極めて不便であり、たとえポインタ構造にメモリを割り当ても、解放しにくい、解放する情況と解放しない情況とを分けられる必要があり、メモリリークを容易にもたらす。また、放送情報の更新があるかどうかを判断する場合、SIBセルに対して変化があったかどうかを比較する必要があり、ポインタメンバーが存在するため、構成が実現しにくいことをもたらす。
【００１１】
四、放送情報の放送過程の流れが簡単であるが、しかし、実現することがかなり困難であり、メンテナンスに不便であり、そして、処理効率がより低い。
【００１２】
以上のように、放送情報がSIB構造として記憶された場合、前記問題を解決することが困難であり、そして、メモリを非常に浪費してしまう。
【発明の概要】
【発明が解決しようとする課題】
【００１３】
本発明が解決しようとする技術的な課題は、放送情報の記憶スペースを極めて大きく節約し、処理プロセスを簡単化し、最適化で、高効率化で、メンテナンスに利便性がある放送情報のコードストリームを記憶する基地局及び方法を提供することにある。
【課題を解決するための手段】
【００１４】
前記課題を解決するために、本発明に係る放送情報のコードストリームを記憶する方法であって、基地局が、放送必要な構成情報を読み取り、構成情報におけるパラメータ情報を放送情報に対応する構造にパディングし、放送情報をエンコーディングしてコードストリームを生成し、前記コードストリームを記憶することを含む。ここで、記憶するステップにおいて、基地局は放送情報における各システム情報（SI）をコードストリーム形式で記憶し、記憶されたSIはSIの長さ及びSIコードストリームを含む。
【００１５】
前記、各システム情報（SI)をコードストリーム形式で記憶するステップにおいて、前記SIコードストリームは、ヘッド及び当該SIにマッピングした各SIBのコードストリームを含む。
【００１６】
前記基地局は各SIを同一記憶領域に記憶し、記憶された各SIは順次に配列してSIコードストリーム構造を形成し、
記憶された前記SIコードストリームはSI総数を更に含む。
【００１７】
前記SI総数は1バイトを占め、
各前記SIの長さは２バイトを占め、
前記SIコードストリームの長さは当該SIヘッドの長さと当該SIにマッピングした全てのSIBコードストリームの長さとの和である。
【００１８】
前記記憶するステップにおいて、前記放送情報におけるMIB及びSIB１をエンコーディングした後、コードストリーム形式で記憶し、
記憶されたMIBは、１バイトを占めるMIBの長さ及びMIBコードストリームを含み、
記憶されたSIB１は、１バイトを占めるSIB１の長さ及びSIB１コードストリームを含む。
【００１９】
放送情報が更新した後、前記基地局は更新後のSIを記憶した後、記憶された１番目のSIコードストリームから、更新後のSIコードストリームと更新前のSIコードストリームとが同じかどうかを比較することを開始し、同じ場合、次のSIコードストリームが同じかどうかを比較し続け、同じではない場合、SIB１におけるValue Tagを修正する。
【００２０】
放送情報のコードストリームを記憶する基地局であって、
放送情報をコーディングし、且つコーディングしたコードストリームをパディングモジュールに送信するためのエンコーディングモジュールと、
受信したコードストリームを記憶モジュールに記憶するためのパディングモジュールと、
各コードストリームを記憶するための記憶モジュールとを含み、
パディングモジュールは、放送情報における各SIをコードストリーム形式で記憶し、記憶したSIがSIの長さ及びSIコードストリームを含むことに更に設定される。
【００２１】
前記パディングモジュールは、
前記SIコードストリームがヘッド及び当該SIにマッピングした各SIBのコードストリームを含み、
前記パディングモジュールが各SIを記憶モジュールの同一記憶領域に記憶させ、記憶した各SIが順次に配列してSIコードストリーム構造を形成し、
記憶されたSIコードストリーム構造がSI総数を更に含むことに設定される。
【００２２】
前記SI総数は１バイトを占め、
各SIの長さは２バイトを占め、
SIコードストリームの長さはSIヘッドの長さと当該SIにマッピングした全てのSIBコードストリームの長さとの和である。
【００２３】
前記パディングモジュールは、
コードストリーム形式でMIBを記憶し、記憶されたMIBが、１バイトを占めるMIBの長さ及びMIBコードストリームを含み、及び、
コードストリーム形式でSIB１を記憶し、記憶されたSIB１が、１バイトを占めSIB１の長さ及びSIB１コードストリームを含むことに更に設定される。
【００２４】
前記パディングモジュールは、放送情報が更新した後、更新後のSIを記憶した後、記憶された１番目のSIコードストリームから、更新後のSIコードストリームと更新前のSIコードストリームとが同じかどうかを比較することを開始し、同じ場合、次のSIコードストリームが同じかどうかを比較し続け、同じではない場合、SIB１におけるValue Tagを修正することに更に設定されている。
【発明の効果】
【００２５】
本発明は放送情報のコードストリームを記憶する基地局及び方法を提供し、コードストリーム形式で放送情報を記憶し、極めてメモリを節約し、そして、各SIを同一記憶領域に記憶することで、最大限に記憶スペースを省き、また、本発明に提供される記憶方式に従って、放送情報が変わった場合、新旧SIの比較プロセスを簡単化し、最適化は効率的であり、メンテナンスも利便性がある。
【図面の簡単な説明】
【００２６】
【図１】図１はUEはE-UTRANによって送信された放送情報を取得する図である。
【図２】図２は本発明の各SIをコードストリーム形式で記憶することを示す図である。
【図３】図３は本発明の基地局の構造図である。
【図４】図４は本発明のSIコードストリームの記憶方法の図である。
【図５】図５は本発明のMIBコードストリームの記憶方法の図である。
【図６】図６は本発明のSIB１コードストリームの記憶方法の図である。
【図７】図７は本発明の最適化後のSIコードストリームの記憶方法の図である。
【発明を実施するための形態】
【００２７】
図３に示すように、本実施例において、コーディングモジュール、パディングモジュール及び記憶モジュールを含む放送情報のコードストリームを記憶する基地局は提供される。
【００２８】
コーディングモジュールは、スケジューリング情報に応じて、放送情報をコーディングすることに用いられ、MIBをエンコーディングしてMIBコードストリームを取得すること、SIB１をエンコーディングしてSIB１コードストリームを取得すること、及び放送必要な他のSIB（SIB２からSIB１１までの１つ又は複数）をコーディングしてSIBiコードストリーム（２＜＝ｉ＜＝１１）を取得することを含み、コーディングした後の各コードストリームをパディングモジュールに送信することに更に用いられる。
【００２９】
パディングモジュールは、コーディングした後の各コードストリームを受信し、且つ各コードストリームを記憶モジュールに記憶することに用いられ、具体的には、
MIBコードストリームをコードストリーム形式で記憶モジュールに記憶し、図５に示すように、記憶されたMIBは、1バイトを占めてMIBコードストリームの長さを示すMIB-LEN及びMIBコードストリームを示すMIB-STREAMという２つの部分を含む。
【００３０】
SIB１コードストリームをコードストリーム形式で記憶モジュールに記憶し、図６に示すように、記憶されたSIB１は、1バイトを占めてSIB１コードストリームの長さを示すSIB１-LEN及びSIB１コードストリームを示すSIB１-STREAMという２つの部分を含む。
【００３１】
SIBiをマッピング規則に従ってマッピングさせ、１つのSIに１つのSIBコードストリームをマッピングしてもよい、複数のSIBコードストリームを同一SIにマッピングしてもよい。
【００３２】
マッピングした後に形成された各SIは図２に示すようなものであり、各SIに割り当てた記憶スペースは、SIB２からSIBｎまでの全てのSIBコードストリームを格納でき、各SIがコードストリームで記憶された後、SI-LEN及びSIヘッドの長さと当該SIにマッピングした各SIBコードストリームを含むSI-STREAMという２つの部分を含む。このようなSIをコードストリーム形式で記憶する方式は、従来技術における各SIを構造形式で記憶する方式に比べて、記憶スペースを良く節約できる。しかし、このような記憶方式は、依然として一部の記憶スペースを浪費してしまい、その中に斜線部分が示すのはSIBコードストリームをパディングした領域であり、その次の空白領域はパディングされていない領域であり、このように、各SIに割り当てた記憶スペースにおいて、いくつかの空白領域がある。これによって、最大限に記憶スペースを節約するために、パディングモジュールは、図７に示すような方式で各SIを記憶することができる。
【００３３】
具体的には、パディングモジュールは、各SIを記憶モジュールの同一記憶領域に記憶し、記憶された各SIが順次に配列してSIコードストリーム構造を形成し、図７に示すように、単一SIは依然としてコードストリーム形式であり、図４に示すように、ここで、SI-LENは２バイトを占め、SIコードストリームの長さを示すが、SI-STREAMの長さが図２に比べて変わった。この時に、SI-STREAMの長さはSIをエンコーディングした後の長さであり、SIヘッドの長さと当該SIにマッピングした各SIBコードストリームの長さとの和であり、これにより、図２に示すような空白部分が存在しない、記憶スペースを更に節約する。記憶されたSIコードストリーム構造は１バイトを占めるSI総数を更に含む。
【００３４】
パディングモジュールは、SIを記憶した後、今回記憶したSIと前回記憶したSIとが変化があるかどうかを比較することに更に用いられ、その方式は、パディングモジュールが一つのポインタを設定し、記憶された１番目のSIコードストリームから比較し始め、同じ場合、ポインタを次のSIコードストリームに移して比較し、同じではない場合、今回に記憶したSIが前回に記憶したSIと比べて変化があったと示す方式でよいが、それに限らない。
【００３５】
パディングモジュールは、記憶されたSIが変わった場合、SIB１コードストリームにおけるValue Tagを修正することに更に用いられる。
【００３６】
記憶モジュールは、MIBコードストリーム、SIB１コードストリーム及びSIを記憶することに用いられる。
【００３７】
本実施例は放送情報の記憶方法を提供し、ASN.1コーディングした後の放送情報のコードストリームに対して最適化したキャッシュ方法を採用し、MIBキャッシュ方法は、図５に示すような方式であり、SIB１キャッシュ方法は、図６に示すような方式であり、SIキャッシュ方法は図２に示すような方式で記憶してもよい、図７に示すような最適化した方式で記憶してもよい。具体的なステップは以下の通りである。
【００３８】
ステップ１０１、基地局(eNB）が、バックグラウンドでの放送情報をパディングするための必要なパラメータ情報及びスケジューリング情報を含む放送必要な構成情報を読み取る。
【００３９】
ステップ１０２、バックグラウンドでの構成されたスケジューリング情報（どのSIBを放送する必要があるか、どのようにSIBをSIにマッピングするかを含む）に応じて、パラメータ情報（放送必要なSIBセル情報を含む）を放送情報に対応する構造にそれぞれパディングする。ここで、MIB、SIB１、SIB２は必ず放送される。
【００４０】
ステップ１０３、eNBは、MIBに対してASN.1エンコーディングを行い、且つエンコーディングした後のMIBコードストリームを記憶する。図５に示すように、MIBコードストリームの記憶方式は、１バイトを占めてMIBコードストリームの長さを示すMIB-LEN及びMIBコードストリームを示すMIB-STREAMという２つの部分を含む。
【００４１】
ステップ１０４、eNBは、SIB２からSIBｎまでに対してASN.1エンコーディングを行い、そしてSIBマッピング関係に従ってエンコーディングした後のSIBコードストリームをマッピングさせてSIを形成する。
【００４２】
マッピングして形成した各SIは図２に示すようなものであり、各SIに割り当てた記憶スペースは、SIB２からSIBｎまでの全てのSIBコードストリームを格納でき、各SIがコードストリームで記憶された後、SI-LEN及びSI-STREAMという２つの部分を含む。このようなSIをコードストリーム形式で記憶する方式は、従来技術における各SIを構造形式で記憶する方式に比べて、記憶スペースを良く節約できる。しかし、このような記憶方式は、依然として一部の記憶スペースを浪費してしまい、図２に示すように、その中に、斜線部分が示すのはSIBコードストリームをパディングした領域であり、その次の空白領域はパディングされていない領域であり、このように、各SIに割り当てた記憶スペースには、いくつかの空白領域がある。これによって、最大限に記憶スペースを節約するために、eNBは図７に示すような方式で各SIを記憶してもよい。
【００４３】
具体的には、図７に示すように、eNBは各SIを記憶モジュールの同一記憶領域に記憶し、記憶された各SIが順次に配列してSIコードストリーム構造を形成し、図４に示すように、単一SIは依然としてコードストリーム形式であり、ここで、SI-LENは２バイトを占め、SIコードストリームの長さを示すが、SI-STREAMの長さが図２に比べて変わった。この時に、SI-STREAMの長さはSIをエンコーディングした後の長さであり、SIヘッドの長さと当該SIにマッピングした各SIBコードストリームの長さとの和であり、これにより、図２に示すような空白部分が存在しない、記憶スペースを更に節約する。記憶されたSIコードストリーム構造はSI総数を更に含み、当該SI総数は、単一SIをパディングした後、最後に書き込まれ、１バイトを占める。
【００４４】
ステップ１０５、eNBは、SIB１に対してASN.1エンコーディングを行い、そしてエンコーディングした後のSIB１コードストリームを記憶する。図６に示すように、SIB１コードストリームの記憶方式は、１バイトを占めてSIB１コードストリームの長さを示すSIB１-LEN及びSIB１コードストリームを示すSIB１-STREAMという２つの部分を含む。
【００４５】
放送情報が更新した後、eNBは前記方式でSIコードストリームを記憶した後、新しいSIコードストリームが旧いSIコードストリームに比べて変化したかどうかを判断する必要があり、判断方式は、一つのポインタを設定し、記憶された１番目のSIコードストリームから新旧SIコードストリームが同じかどうかを比較し始め、同じ場合、ポインタを次のSIコードストリームに移して次のSIの新旧SIコードストリームが同じかどうかを比較し、同じではない場合、今回のSIコードストリームが変化したことを示し、SIB１のValue Tagを修正する必要があり、そしてSIB１に対してエンコーディングを行い且つ記憶する方式であってよいが、それに限られない。
【００４６】
図７に示すような記憶方式を用いて、全てのSIに１つの記憶スペースを割り当て、順次に各SIを書き込むため、記憶スペースを浪費していない。
【００４７】
ステップ１０６、放送情報を送信する。図１に示すように、放送情報を成功に送信して、UEは放送を取得できる。
【００４８】
最適化したコードストリームキャッシュ方法を使用した後、SIBセルにおけるポインタ構造も容易に処理できるようになり、エンコーディングした後、解放でき、コードストリーム情報のみが記憶され、メモリリークの可能性を避ける。単一セルの場合、SIB２〜SIB８を例として、SIBセル構造を記憶する必要なメモリが約４９Kであり、最適化した記憶スキームを使用した後、コードストリームに対する必要なメモリが約５００BYTEであり、利用したメモリが元のメモリの１％しか占拠しない、極めてメモリを節約する。プログラム処理プロセスを簡単化し、高効率化し、メンテナンスに利便性がある。
【産業上の利用可能性】
【００４９】
本発明は放送情報のコードストリームを記憶する基地局及び方法を提供し、コードストリーム形式で放送情報を記憶し、極めてメモリを節約し、そして各SIを同一記憶領域に記憶することで、最大限に記憶スペースを省き、また、本発明に提供された記憶方式に従って、放送情報が変化した場合、新旧SIの比較プロセスを簡単化し、最適化は効率的であり、メンテナンスも利便性がある。
【図１】
0005466762.tif 000003
【図２】
0005466762.tif 000004
【図３】
0005466762.tif 000005
【図４】
0005466762.tif 000006
【図５】
0005466762.tif 000007
【図６】
0005466762.tif 000008
【図７】
0005466762.tif 000009